【手続補正書】
【提出日】平成18年9月29日(2006.9.29)
【手続補正１】
【補正対象書類名】明細書
【補正対象項目名】特許請求の範囲
【補正方法】変更
【補正の内容】
【特許請求の範囲】
【請求項１】  下記一般式（Ｉ）を有する化合物又はその薬理上許容される塩を
含有する、グルタチオン還元酵素活性増強剤：
【化１】
2000169371.tif 000001
｛式中、
ｍ及びｎの一方は０、他方は０、１又は２を示し、
ｋは０又は１乃至１２の整数を示し、
Ｒ1は、水素原子、置換基群痰ゥら選択される基、或は置換基群瘠yび置換基群繧ゥら選択される１乃至３個の置換基で置換されていてもよく、酸素原子及び／又は硫黄原子が介在していてもよい炭素数１乃至１２個のアルキル基を示し、
Ａは、単結合、酸素原子、カルボニル基、又は−Ｎ（Ｒ2）ＣＯ−、−Ｎ（Ｒ2）ＣＳ−、−Ｎ（Ｒ2）ＳＯ2−、−ＣＯＮ（Ｒ2）Ｎ（Ｒ3）ＣＯ−、−ＣＯＮ（Ｒ2）ＣＯ−、−ＣＯＮ（Ｒ2）ＣＳ−、−ＣＯＮ（Ｒ2）ＳＯ2−、−Ｏ−ＣＯ−、−ＯＮ（Ｒ2）ＣＯ−、−ＯＮ（Ｒ2）ＳＯ2−、−Ｏ−ＣＯＮ（Ｒ2）Ｎ（Ｒ3）ＣＯ−、−Ｏ−ＣＯＮ（Ｒ2）ＣＯ−、−Ｏ−ＣＯＮ（Ｒ2）ＳＯ2−、−ＣＯ−Ｏ−、−ＣＯ−ＣＯ−、−ＣＯ−ＣＯＮ（Ｒ2）Ｎ（Ｒ3）ＣＯ−、−ＣＯ−ＣＯＮ（Ｒ2）ＣＯ−、−ＣＯ−ＣＯＮ（Ｒ2）ＳＯ2−、−Ｎ（Ｒ2）Ｏ−、−Ｎ（Ｒ2）ＣＯＣＯ−、−Ｎ（Ｒ2）Ｎ（Ｒ3）ＣＯ−、−Ｎ（Ｒ2）Ｎ（Ｒ3）ＳＯ2−、−Ｎ（Ｒ2）ＣＯＮ（Ｒ3）Ｎ（Ｒ4）ＣＯ−、−Ｎ（Ｒ2）ＣＯＮ（Ｒ3）ＣＯ−、−Ｎ（Ｒ2）ＣＯＮ（Ｒ3）ＳＯ2−、若しくは、−Ｎ（Ｒ2）ＣＯＮ（Ｒ3）ＳＯ2Ｎ（Ｒ4）ＣＯ−［式中、Ｒ2、Ｒ3及びＲ4は、同一若しくは異なって、水素原子、炭素数１乃至１２個を有するアルキル基、アラルキル基、アリール部分が置換基群竄ゥら選択される１乃至３個の基で置換されたアラルキル基、アシル基又は置換基群痰ゥら選択される１つの基を示す。］を有する基を示し、
Ｂは、単結合、又は−Ｎ（Ｒ5）−、若しくは−Ｎ（Ｒ6）Ｎ（Ｒ5）−［式中、Ｒ5及びＲ6は、同一若しくは異なって、水素原子、炭素数１乃至１２個を有するアルキル基、アラルキル基、アリール部分が置換基群竄ゥら選択される１乃至３個の基で置換されたアラルキル基、アシル基又は置換基群痰ゥら選択される１つの基を示し、更に、Ｒ5は、Ｒ1及びそれらが結合している窒素原子と共に５乃至７員環の複素環を形成していてもよい。］を示し、
更に、Ａが、−Ｎ（Ｒ2）ＣＯ−、−Ｎ（Ｒ2）ＣＳ−、−ＣＯＮ（Ｒ2）Ｎ（Ｒ3）ＣＯ−、−ＣＯＮ（Ｒ2）ＣＯ−、−ＣＯＮ（Ｒ2）ＣＳ−、−Ｏ−ＣＯ−、−ＯＮ（Ｒ2）ＣＯ−、−Ｏ−ＣＯＮ（Ｒ2）Ｎ（Ｒ3）ＣＯ−、−Ｏ−ＣＯＮ（Ｒ2）ＣＯ−、−ＣＯ−ＣＯＮ（Ｒ2）Ｎ（Ｒ3）ＣＯ−、−ＣＯ−ＣＯＮ（Ｒ2）ＣＯ−、−Ｎ（Ｒ2）Ｎ（Ｒ3）ＣＯ−、−Ｎ（Ｒ2）ＣＯＮ（Ｒ3）Ｎ（Ｒ4）ＣＯ−、又は−Ｎ（Ｒ2）ＣＯＮ（Ｒ3）ＣＯ−［式中、Ｒ2、Ｒ3及びＲ4は、前記と同意義を示す。］であり、Ｂが、単結合である場合、Ｒ1は、前記の定義に加えて、基ＯＲ7（式中、Ｒ7は、低級アルキル基、低級アルケニル基、アラルキル基、アリール部分が置換基群竄ゥら選択される１乃至３個の基で置換されたアラルキル基又は置換基群痰ゥら選択される１つの基を示す。）であってもよく、
Ａが、−ＣＯＮ（Ｒ2）ＳＯ2−、−ＯＮ（Ｒ2）ＳＯ2−、−Ｏ−ＣＯＮ（Ｒ2）ＳＯ2−、−ＣＯ−ＣＯ−、−ＣＯ−ＣＯＮ（Ｒ2）ＳＯ2−、−Ｎ（Ｒ2）ＣＯＣＯ−、−Ｎ（Ｒ2）Ｎ（Ｒ3）ＳＯ2−、又は−Ｎ（Ｒ2）ＣＯＮ（Ｒ3）ＳＯ2−［式中、Ｒ2及びＲ3は、前記と同意義を示す。］であり、且つ、Ｂが単結合である場合、並びに、Ａが、酸素原子、−ＣＯ−Ｏ−又は−Ｎ（Ｒ2）Ｏ−でなく、且つ、Ｂが−Ｎ（Ｒ5）−［式中、Ｒ5は、前記と同意義を示す。］である場合、Ｒ1は、前記の定義に加えて、水酸基又は基ＯＲ7（式中、Ｒ7は、前記と同意義を示す。）であってもよい。
但し、
Ａが、酸素原子である場合、Ｂは単結合又は−Ｎ（Ｒ5）−［式中、Ｒ5は、前記と同意義を示す。］であり、
Ａが、−ＣＯ−Ｏ−又は−Ｎ（Ｒ2）Ｏ−［式中、Ｒ2は、前記と同意義を示す。］である場合、Ｂは単結合であり、
ｋが、４を示す場合、基−ＡＢＲ1は、カルボキシル基を示さない。｝
［置換基群瘁n
アリール基、複素環基、置換基群竄ゥら選択される１乃至３個の基で置換されたアリール基、置換基群竄ゥら選択される１乃至３個の基で置換された複素環基
［置換基群竅n
低級アルキル基、ハロゲン化低級アルキル基、低級アルコキシ基、低級アルキルチオ基、水酸基、カルボキシル基、窒素原子が置換されていてもよいカルバモイル基、低級アルコキシカルボニル基、ハロゲン原子、ニトロ基、アミン残基、スルホ基、スルファモイル基、シアノ基、ヒドロキシ低級アルキル基
［置換基群縺n
低級アルコキシ基、低級アルキルチオ基、水酸基、ニトロオキシ基、カルボキシル基、低級アルコキシカルボニル基、ハロゲン原子、スルホ基、スルファモイル基、アミン残基、窒素原子が置換されていてもよいカルバモイル基。
【請求項２】  請求項１において、一般式（Ｉ）が、下記一般式（Ｉ’）：
【化２】
2000169371.tif 000002
であるグルタチオン還元酵素活性増強剤。
【請求項３】  請求項１又は請求項２において、ｍ及びｎの一方が０であり、他方が０又は１であるグルタチオン還元酵素活性増強剤。
【請求項４】  請求項１又は請求項２において、ｍ及びｎが０であるグルタチオン還元酵素活性増強剤。
【請求項５】  請求項１乃至請求項４から選択されるいずれか一項において、ｋが、０又は１乃至８の整数であるグルタチオン還元酵素活性増強剤。
【請求項６】  請求項１乃至請求項４から選択されるいずれか一項において、ｋが、２乃至６の整数であるグルタチオン還元酵素活性増強剤。
【請求項７】  請求項１乃至請求項４から選択されるいずれか一項において、ｋが、４又は５であるグルタチオン還元酵素活性増強剤。
【請求項８】  請求項１乃至請求項７から選択されるいずれか一項において、Ｒ1が、複素環基、置換基群竄ゥら選択される１乃至３個の基で置換された複素環基、置換基群瘠yび置換基群繧ゥら選択される１乃至３個の置換基で置換されていてもよく、酸素原子及び／又は硫黄原子が介在していてもよい炭素数１乃至１２個のアルキル基、水酸基或は炭素数１乃至５個のアルコキシ基であるグルタチオン還元酵素活性増強剤。
【請求項９】  請求項１乃至請求項７から選択されるいずれか一項において、Ｒ1が、複素環基、置換基群竄ゥら選択される１乃至３個の基で置換された複素環基、或は置換基群瘠yび置換基群繧ゥら選択される１乃至３個の置換基で置換されていてもよく、酸素原子及び／又は硫黄原子が介在していてもよい炭素数１乃至１２個のアルキル基であるグルタチオン還元酵素活性増強剤。
【請求項１０】  請求項１乃至請求項７から選択されるいずれか一項において、Ｒ1が、水酸基又は炭素数１乃至５個のアルコキシ基であるグルタチオン還元酵素活性増強剤。
【請求項１１】  請求項１乃至請求項７から選択されるいずれか一項において、Ｒ1が、複素環基、置換基群竄ゥら選択される１乃至３個の基で置換された複素環基、炭素数１乃至５個のアルキル基、炭素数３乃至８個のアルコキシカルボニル基、炭素数２乃至７個のカルボキシアルキル基、炭素数２乃至５個のヒドロキシアルキル基、複素環基又は炭素数１乃至５個のアルコキシ基であるグルタチオン還元酵素活性増強剤。
【請求項１２】  請求項１乃至請求項１１から選択されるいずれか一項において、Ａが、カルボニル基、又は式−ＣＯＮ（Ｒ2）ＳＯ2−、−Ｎ（Ｒ2）ＣＯ−、−Ｎ（Ｒ2）ＣＳ−、−ＣＯＮ（Ｒ2）ＣＯ−、−Ｎ（Ｒ2）ＣＯＣＯ−若しくは−Ｎ（Ｒ2）ＳＯ2−［式中、Ｒ2は、水素原子、炭素数１乃至１２個のアルキル基又はベンジル基である。］を有する基であるグルタチオン還元酵素活性増強剤。
【請求項１３】  請求項１乃至請求項１１から選択されるいずれか一項において、Ａが、カルボニル基、又は式−ＣＯＮ（Ｒ2）ＳＯ2−、−Ｎ（Ｒ2）ＣＯ−、−Ｎ（Ｒ2）ＣＳ−、−ＣＯＮ（Ｒ2）ＣＯ−、−Ｎ（Ｒ2）ＣＯＣＯ−若しくは−Ｎ（Ｒ2）ＳＯ2−［式中、Ｒ2は、水素原子又は炭素数１乃至１２個のアルキル基である。］を有する基であるグルタチオン還元酵素活性増強剤。
【請求項１４】  請求項１乃至請求項１１から選択されるいずれか一項において、Ａが、カルボニル基、−ＣＯＮＨＳＯ2−、−ＣＯＮＣＨ3ＳＯ2−、−ＮＨＣＯ−、−ＮＨＣＳ−、−ＣＯＮＨＣＯ−、−ＮＨＣＯＣＯ−又は−ＮＨＳＯ2−であるグルタチオン還元酵素活性増強剤。
【請求項１５】  請求項１乃至請求項１４から選択されるいずれか一項において、Ｂが、単結合又は式−Ｎ（Ｒ5）−若しくは−Ｎ（Ｒ6）Ｎ（Ｒ5）−［式中、Ｒ5及びＲ6は、同一又は異なって水素原子、炭素数１乃至１２個のアルキル基又はベンジル基を示す。］を有する基であるグルタチオン還元酵素活性増強剤。
【請求項１６】  請求項１乃至請求項１４から選択されるいずれか一項において、Ｂが、単結合又は式−Ｎ（Ｒ5）−若しくは−Ｎ（Ｒ6）Ｎ（Ｒ5）−［式中、Ｒ5及びＲ6は、同一又は異なって水素原子又は炭素数１乃至１２個のアルキル基を示す。］を有する基であるグルタチオン還元酵素活性増強剤。
【請求項１７】  請求項１乃至請求項１４から選択されるいずれか一項において、Ｂが、単結合、−ＮＨ−、−ＮＣＨ3−又は−ＮＨＮＣＨ3−であるグルタチオン還元酵素活性増強剤。
【請求項１８】  請求項１において、
Ｎ−［５−（１，２−ジチオラン−３−イル）ペンタノイル］メタンスルホンアミド、
３−［４−（１，２−ジチオラン−３−イル）ブチル］ウレイド酢酸  メチルエステル、
２（Ｓ）−｛３−［４−（１，２−ジチオラン−３−イル）ブチル］ウレイド｝プロピオン酸、
２（Ｓ）−｛３−［４−（１，２−ジチオラン−３−イル）ブチル］ウレイド｝プロピオン酸  メチルエステル、
３−［４−（１，２−ジチオラン−３−イル）ブチル］−１−メチルウレイド酢酸  エチルエステル、若しくは
Ｎ−［５−（１，２−ジチオラン−３−イル）ペンチル］メタンスルホンアミド又はその薬理上許容される塩を含有するグルタチオン還元酵素活性増強剤。
【請求項１９】  酸化的ストレスによって起こる疾患の予防剤又は治療剤として用いられる、請求項１乃至請求項１８から選択されるいずれか一項に記載のグルタチオン還元酵素活性増強剤。
【請求項２０】  放射線による障害の予防剤又は治療剤として用いられる、請求項１乃至請求項１９から選択されるいずれか一項に記載のグルタチオン還元酵素活性増強剤。
【請求項２１】  抗癌剤による中毒の予防剤又は治療剤として用いられる、請求項１乃至請求項１９から選択されるいずれか一項に記載のグルタチオン還元酵素活性増強剤。
【請求項２２】  白内障の予防剤又は治療剤として用いられる、請求項１乃至請求項１９から選択されるいずれか一項に記載のグルタチオン還元酵素活性増強剤。
【請求項２３】  糖尿病の予防剤又は治療剤として用いられる、請求項１乃至請求項１９から選択されるいずれか一項に記載のグルタチオン還元酵素活性増強剤。
【請求項２４】  下記一般式（Ｉ）を有する化合物又はその薬理上許容される塩：
【化３】
2000169371.tif 000003
｛式中、
ｍ及びｎの一方は０、他方は０、１又は２を示し、
ｋは０又は１乃至１２の整数を示し、
Ｒ1は、水素原子、置換基群痰ゥら選択される基、或は置換基群瘠yび置換基群繧ゥら選択される１乃至３個の置換基で置換されていてもよく、酸素原子及び／又は硫黄原子が介在していてもよい炭素数１乃至１２個のアルキル基を示し、
Ａは、単結合、酸素原子、カルボニル基、又は−Ｎ（Ｒ2）ＣＯ−、−Ｎ（Ｒ2）ＣＳ−、−Ｎ（Ｒ2）ＳＯ2−、−ＣＯＮ（Ｒ2）Ｎ（Ｒ3）ＣＯ−、−ＣＯＮ（Ｒ2）ＣＯ−、−ＣＯＮ（Ｒ2）ＣＳ−、−ＣＯＮ（Ｒ2）ＳＯ2−、−Ｏ−ＣＯ−、−ＯＮ（Ｒ2）ＣＯ−、−ＯＮ（Ｒ2）ＳＯ2−、−Ｏ−ＣＯＮ（Ｒ2）Ｎ（Ｒ3）ＣＯ−、−Ｏ−ＣＯＮ（Ｒ2）ＣＯ−、−Ｏ−ＣＯＮ（Ｒ2）ＳＯ2−、−ＣＯ−Ｏ−、−ＣＯ−ＣＯ−、−ＣＯ−ＣＯＮ（Ｒ2）Ｎ（Ｒ3）ＣＯ−、−ＣＯ−ＣＯＮ（Ｒ2）ＣＯ−、−ＣＯ−ＣＯＮ（Ｒ2）ＳＯ2−、−Ｎ（Ｒ2）Ｏ−、−Ｎ（Ｒ2）ＣＯＣＯ−、−Ｎ（Ｒ2）Ｎ（Ｒ3）ＣＯ−、−Ｎ（Ｒ2）Ｎ（Ｒ3）ＳＯ2−、−Ｎ（Ｒ2）ＣＯＮ（Ｒ3）Ｎ（Ｒ4）ＣＯ−、−Ｎ（Ｒ2）ＣＯＮ（Ｒ3）ＣＯ−、−Ｎ（Ｒ2）ＣＯＮ（Ｒ3）ＳＯ2−、若しくは、−Ｎ（Ｒ2）ＣＯＮ（Ｒ3）ＳＯ2Ｎ（Ｒ4）ＣＯ−［式中、Ｒ2、Ｒ3及びＲ4は、同一若しくは異なって、水素原子、炭素数１乃至１２個を有するアルキル基、アラルキル基、アリール部分が置換基群竄ゥら選択される１乃至３個の基で置換されたアラルキル基、アシル基又は置換基群痰ゥら選択される１つの基を示す。］を有する基を示し、
Ｂは、単結合、又は−Ｎ（Ｒ5）−、若しくは−Ｎ（Ｒ6）Ｎ（Ｒ5）−［式中、Ｒ5及びＲ6は、同一若しくは異なって、水素原子、炭素数１乃至１２個を有するアルキル基、アラルキル基、アリール部分が置換基群竄ゥら選択される１乃至３個の基で置換されたアラルキル基、アシル基又は置換基群痰ゥら選択される１つの基を示し、更に、Ｒ5は、Ｒ1及びそれらが結合している窒素原子と共に５乃至７員環の複素環を形成していてもよい。］を示し、
更に、Ａが、−Ｎ（Ｒ2）ＣＯ−、−Ｎ（Ｒ2）ＣＳ−、−ＣＯＮ（Ｒ2）Ｎ（Ｒ3）ＣＯ−、−ＣＯＮ（Ｒ2）ＣＯ−、−ＣＯＮ（Ｒ2）ＣＳ−、−Ｏ−ＣＯ−、−ＯＮ（Ｒ2）ＣＯ−、−Ｏ−ＣＯＮ（Ｒ2）Ｎ（Ｒ3）ＣＯ−、−Ｏ−ＣＯＮ（Ｒ2）ＣＯ−、−ＣＯ−ＣＯＮ（Ｒ2）Ｎ（Ｒ3）ＣＯ−、−ＣＯ−ＣＯＮ（Ｒ2）ＣＯ−、−Ｎ（Ｒ2）Ｎ（Ｒ3）ＣＯ−、−Ｎ（Ｒ2）ＣＯＮ（Ｒ3）Ｎ（Ｒ4）ＣＯ−、又は−Ｎ（Ｒ2）ＣＯＮ（Ｒ3）ＣＯ−［式中、Ｒ2、Ｒ3及びＲ4は、前記と同意義を示す。］であり、Ｂが、単結合である場合、Ｒ1は、前記の定義に加えて、基ＯＲ7（式中、Ｒ7は、低級アルキル基、低級アルケニル基、アラルキル基、アリール部分が置換基群竄ゥら選択される１乃至３個の基で置換されたアラルキル基又は置換基群痰ゥら選択される１つの基を示す。）であってもよく、
Ａが、−ＣＯＮ（Ｒ2）ＳＯ2−、−ＯＮ（Ｒ2）ＳＯ2−、−Ｏ−ＣＯＮ（Ｒ2）ＳＯ2−、−ＣＯ−ＣＯ−、−ＣＯ−ＣＯＮ（Ｒ2）ＳＯ2−、−Ｎ（Ｒ2）ＣＯＣＯ−、−Ｎ（Ｒ2）Ｎ（Ｒ3）ＳＯ2−、又は−Ｎ（Ｒ2）ＣＯＮ（Ｒ3）ＳＯ2−［式中、Ｒ2及びＲ3は、前記と同意義を示す。］であり、且つ、Ｂが単結合である場合、並びに、Ａが、酸素原子、−ＣＯ−Ｏ−又は−Ｎ（Ｒ2）Ｏ−でなく、且つ、Ｂが−Ｎ（Ｒ5）−［式中、Ｒ5は、前記と同意義を示す。］である場合、Ｒ1は、前記の定義に加えて、水酸基又は基ＯＲ7（式中、Ｒ7は、前記と同意義を示す。）であってもよい。
但し、
Ａが、酸素原子である場合、Ｂは単結合又は−Ｎ（Ｒ5）−［式中、Ｒ5は、前記と同意義を示す。］であり、
Ａが、−ＣＯ−Ｏ−又は−Ｎ（Ｒ2）Ｏ−［式中、Ｒ2は、前記と同意義を示す。］である場合、Ｂは単結合であり、
ｋが、４を示す場合、基−ＡＢＲ1は、カルボキシル基を示さない。｝
［置換基群瘁n
アリール基、複素環基、置換基群竄ゥら選択される１乃至３個の基で置換されたアリール基、置換基群竄ゥら選択される１乃至３個の基で置換された複素環基
［置換基群竅n
低級アルキル基、ハロゲン化低級アルキル基、低級アルコキシ基、低級アルキルチオ基、水酸基、カルボキシル基、窒素原子が置換されていてもよいカルバモイル基、低級アルコキシカルボニル基、ハロゲン原子、ニトロ基、アミン残基、スルホ基、スルファモイル基、シアノ基、ヒドロキシ低級アルキル基
［置換基群縺n
低級アルコキシ基、低級アルキルチオ基、水酸基、ニトロオキシ基、カルボキシル基、低級アルコキシカルボニル基、ハロゲン原子、スルホ基、スルファモイル基、アミン残基、窒素原子が置換されていてもよいカルバモイル基。
【請求項２５】  請求項２４において、一般式（Ｉ）が、下記一般式（Ｉ’）：
【化４】
2000169371.tif 000004
である化合物又はその薬理上許容される塩。
【請求項２６】  請求項２４又は請求項２５において、Ａが、カルボニル基、又は式−ＣＯＮ（Ｒ2）ＳＯ2−、−Ｎ（Ｒ2）ＣＯ−、−Ｎ（Ｒ2）ＣＳ−、−ＣＯＮ（Ｒ2）ＣＯ−、−Ｎ（Ｒ2）ＣＯＣＯ−若しくは−Ｎ（Ｒ2）ＳＯ2−［式中、Ｒ2は、水素原子又は炭素数１乃至１２個のアルキル基である。］を有する基である化合物又はその薬理上許容される塩。
【請求項２７】  請求項２４又は請求項２５から選択されるいずれか一項において、Ａが、カルボニル基、−ＣＯＮＨＳＯ2−、−ＣＯＮＣＨ3ＳＯ2−、−ＮＨＣＯ−、−ＮＨＣＳ−、−ＣＯＮＨＣＯ−、−ＮＨＣＯＣＯ−又は−ＮＨＳＯ2−である化合物又はその薬理上許容される塩。
【請求項２８】  請求項２４又は請求項２７から選択されるいずれか一項において、Ｂが、単結合又は式−Ｎ（Ｒ5）−若しくは−Ｎ（Ｒ6）Ｎ（Ｒ5）−［式中、Ｒ5及びＲ6は、同一又は異なって水素原子、炭素数１乃至１２個のアルキル基又はベンジル基を示す。］を有する基である化合物又はその薬理上許容される塩。
【請求項２９】  請求項２４又は請求項２７から選択されるいずれか一項において、Ｂが、単結合又は式−Ｎ（Ｒ5）−若しくは−Ｎ（Ｒ6）Ｎ（Ｒ5）−［式中、Ｒ5及びＲ6は、同一又は異なって水素原子又は炭素数１乃至１２個のアルキル基を示す。］を有する基である化合物又はその薬理上許容される塩。
【請求項３０】  請求項２４又は請求項２７から選択されるいずれか一項において、Ｂが、単結合、−ＮＨ−、−ＮＣＨ3−又は−ＮＨＮＣＨ3−である化合物又はその薬理上許容される塩。
【請求項３１】  請求項２４において、
Ｎ−［５−（１，２−ジチオラン−３−イル）ペンタノイル］メタンスルホンアミド、
３−［４−（１，２−ジチオラン−３−イル）ブチル］ウレイド酢酸  メチルエステル、
２（Ｓ）−｛３−［４−（１，２−ジチオラン−３−イル）ブチル］ウレイド｝プロピオン酸、
２（Ｓ）−｛３−［４−（１，２−ジチオラン−３−イル）ブチル］ウレイド｝プロピオン酸  メチルエステル、
３−［４−（１，２−ジチオラン−３−イル）ブチル］−１−メチルウレイド酢酸  エチルエステル、若しくは
Ｎ−［５−（１，２−ジチオラン−３−イル）ペンチル］メタンスルホンアミド又はその薬理上許容される塩。